(57)【特許請求の範囲】
【請求項１】
ウェブが巻取られて形成された巻取りロールをワインダに搬送する際に、該巻取りロールの巻端部を処理する巻取りロールの巻端処理方法であって、
上記のワインダへの搬送に先立って、該巻端部の該ワインダのスリッタで切り落とされる耳の部分において、該巻端部を仮止め部材によって該巻取りロール本体に仮止めすることを特徴とする、巻取りロールの巻端処理方法。
【請求項２】
上記仮止めを行なう前に、予め該巻端部に紙継ぎのための接着部材を付着させることを特徴とする、請求項１記載の巻取りロールの巻端処理方法。
【請求項３】
該仮止め部材が、該ウェブの外面から貼付された片面接着テープであることを特徴とする、請求項１又は２記載の巻取りロールの巻端処理方法。
【請求項４】
ウェブが巻取られて形成された巻取りロールを搬送レールでワインダに搬送する際に、該巻取りロールの巻端部を処理するための巻取りロールの巻端処理装置であって、
該巻端部を保持する巻端保持手段と、
該巻端部の該ワインダのスリッタで切り落とされる耳の部分において、該巻端部を仮止め部材によって該巻取りロール本体に仮止めする仮止め手段とをそなえて構成されたことを特徴とする、巻取りロールの巻端処理装置。
【請求項５】
該仮止め手段が、
該巻端保持手段により保持された該巻端部に該仮止め部材を供給する仮止め部材供給手段と、
該巻端部を仮止め位置付近まで巻上げる巻上げ手段と、
該巻端部を該仮止め部材によって該巻取りロール本体に固定する固定手段とを有することを特徴とする、請求項４記載の巻取りロールの巻端処理装置。
【請求項６】
ウェブが巻取られて形成された巻取りロールを搬送レールでワインダに搬送する際に、該巻取りロールの巻端部を処理するための巻取りロールの巻端処理装置であって、
該巻端部を保持する巻端保持手段と、
該巻端部を仮止め部材によって該巻取りロール本体に仮止めする仮止め手段と
をそなえ、
該仮止め手段が、
該巻端保持手段により保持された該巻端部に該仮止め部材を供給する仮止め部材供給手段と、
該巻端部を仮止め位置付近まで巻上げる巻上げ手段と、
該巻端部を該仮止め部材によって該巻取りロール本体に固定する固定手段とをそなえるとともに、
該固定手段が、
該搬送レールの該巻取りロールと干渉しない位置に取付けられたことを特徴とする、巻取りロールの巻端処理装置。
【請求項７】
該巻端保持手段が、
複数の孔を有する吸引板と、
該吸引板の孔を介して該巻端部を吸引して保持する吸引装置とを有することを特徴とする、請求項４〜６のいずれか１項に記載の巻取りロールの巻端処理装置。
【請求項８】
該吸引板の表面は非粘着加工がされていることを特徴とする、請求項７記載の巻取りロールの巻端処理装置。
【請求項９】
該巻端保持手段により保持された該巻端部の不良部分を切断するカッタをそなえ、
該カッタによる該巻端部の切断時に、該カッタが該吸引板に干渉しないように、該吸引板に溝が設けられていることを特徴とする、請求項７又は８記載の巻取りロールの巻端処理装置。
【発明の詳細な説明】
【０００１】
【発明の属する技術分野】
本発明は、リールスタンドでウェブを巻取って形成された巻取りロールを次工程に運ぶ間に巻取りロールが巻解かれないように巻端部を処理する方法及び装置に関する。
【０００２】
【従来の技術】
従来より、抄紙機で抄紙されたウェブ状の紙（以下、ウェブという）はリールスタンドで巻取られ巻取りロールに形成され、巻端部に両面接着テープが貼付されて次工程のワインダに移送される。ワインダへ移送した後、両面接着テープにより紙継ぎが行なわれ、紙継ぎされたウェブがワインダによって巻取られる。
【０００３】
図７に従来の抄紙機のウェブ巻取り部による巻取り工程を示す。このウェブ巻取り部はリールスタンド２，搬送レール６，ワインダ７をその要部としてそなえている。リールスタンド２にはスプール３及びリールドラム４がそなえられ、前工程で抄紙されたウェブはリールドラム４に押し付けられながらスプール３の外周に巻取られる。そして、所定の径に巻取られた巻取りロール５は図示しない切断装置で切断され、搬送レール６上に押し出される。巻取りロール５はこの後スプール３の軸受け部３ａで支持され、図示しない移動装置によってワインダ７へ移送される。
【０００４】
移送の途中、紙継ぎのための仕立て作業が行なわれる。つまり、巻取りロール５を搬送レール６の途中のＰ位置（仕立て位置）で停止させ、図示しないテープ貼り装置により巻端部５ａに両面接着テープ８を貼付する。このとき、巻取りロール先端（即ち、巻端部５ａ付近）の不良部を除去したり、紙の端（巻端部５ａ）を作業のしやすい高さにもってくるため巻取りロール５の回転が行なわれたりする。
【０００５】
巻取りロール５は、その巻端部５ａが固定されない状態で搬送レール６上を更に進んでワインダ７へ移送され、紙継ぎが行なわれる。この紙継ぎは、新たにウェブ１を供給する巻取りロール５の巻端部５ａをワインダ７に巻かれているウェブ端部につなぐ作業であり、仕立て時に巻取りロール５の巻端部５ａに貼付された両面接着テープ片３８ａによって巻取りロール５の巻端部５ａとワインダのウェブ端部とを接着して行なわれる。また、ウェブ１の耳の部分、即ち、ウェブ１の幅方向の両端部分は、ワインダ７でウェブ１を巻取る際、スリッタでスリットされる。
【０００６】
【発明が解決しようとする課題】
上述したように、巻取りロール５は搬送レール上をその巻端部５ａを固定しない状態で移送されるが、巻取りロール５には重心のアンバランスがあって、移送中の振動等により巻取りロール５が回転しウェブが巻解かれることがある。この場合、両面接着テープ８が貼付された巻端部５ａが垂れ下がって床面や機械に当たることにより、接着面を汚したり端部が折れてテープ面がくっついてしまったりするといった課題がある。
【０００７】
本発明は、上述の課題に鑑み創案されたもので、移送中に巻取りロールが回転しても巻解かれが生じることがなく、その後のワインダでの紙継ぎ作業を支障なく行なうことができるようにした、巻取りロールの巻端処理方法及び装置を提供することを目的とする。
【０００８】
【課題を解決するための手段】
上記目的を達成するために、本発明の巻取りロールの巻端処理方法は、ウェブが巻取られて形成された巻取りロールをワインダに搬送する際に、該巻取りロールの巻端部を処理する巻取りロールの巻端処理方法であって、上記のワインダへの搬送に先立って、該巻端部の該ワインダのスリッタで切り落とされる耳の部分において、該巻端部を仮止め部材によって該巻取りロール本体に仮止めすることを特徴としている（請求項１）。
【０００９】
このとき、上記仮止めを行なう前に、予め該巻端部に紙継ぎのための接着部材を付着させるようにしてもよい（請求項２）。
また、該仮止め部材が、該ウェブの外面から貼付された片面接着テープであってもよい（請求項３）。
また、本発明の巻取りロールの巻端処理装置は、ウェブが巻取られて形成された巻取りロールを搬送レールでワインダに搬送する際に、該巻取りロールの巻端部を処理するための巻取りロールの巻端処理装置であって、該巻端部を保持する巻端保持手段と、該巻端部の該ワインダのスリッタで切り落とされる耳の部分において、該巻端部を仮止め部材によって該巻取りロール本体に仮止めする仮止め手段とをそなえて構成されたことを特徴としている（請求項４）。
【００１０】
さらに、該仮止め手段が、該巻端保持手段により保持された該巻端部に該仮止め部材を供給する仮止め部材供給手段と、該巻端部を仮止め位置付近まで巻上げる巻上げ手段と、該巻端部を該仮止め部材によって該巻取りロール本体に固定する固定手段とを有するように構成してもよい（請求項５）。
【００１１】
また、上記目的を達成するために、本発明の巻取りロールの巻端処理装置は、ウェブが巻取られて形成された巻取りロールを搬送レールでワインダに搬送する際に、該巻取りロールの巻端部を処理するための巻取りロールの巻端処理装置であって、該巻端部を保持する巻端保持手段と、該巻端部を仮止め部材によって該巻取りロール本体に仮止めする仮止め手段とをそなえ、該仮止め手段が、該巻端保持手段により保持された該巻端部に該仮止め部材を供給する仮止め部材供給手段と、該巻端部を仮止め位置付近まで巻上げる巻上げ手段と、該巻端部を該仮止め部材によって該巻取りロール本体に固定する固定手段とをそなえるとともに、該固定手段が、該搬送レールの該巻取りロールと干渉しない位置に取付けられたことを特徴としている（請求項６）。
また、該巻端保持手段が、複数の孔を有する吸引板と、該吸引板の孔を介して該巻端部を吸引して保持する吸引装置とを有するように構成してもよい（請求項７）。
さらに、該吸引板の表面は非粘着加工がされてもよい（請求項８）。
また、該巻端保持手段により保持された該巻端部の不良部分を切断するカッタをそなえ、該カッタによる該巻端部の切断時に、該カッタが該吸引板に干渉しないように、該吸引板に溝を設けてもよい（請求項９）。
【００１２】
【発明の実施の形態】
以下、図面により、本発明の実施の形態について説明する。
図１〜図６は本発明の一実施形態としての巻端処理装置及び方法に関するもので、図１，図２はその装置の全体構成を示す図、図３〜図５はその装置の要部の構成を示す図、図６はその装置及び方法によって巻端処理されワインダにより紙継ぎされたロールを示す図である。
【００１３】
なお、図７を用いて説明した従来の技術と同様の部位については同じ符号を付し、その説明を一部省略する。
本実施形態に係る巻端処理装置は、図１，図２に示すように、従来のものと同様に、テープ貼り装置（接着部材付着手段）３０を構成要部としてそなえている。そして、本装置では、更に、巻端保持手段としてのサクション装置２０と仮止め手段としての仮止めテープ貼り装置６０，押え装置８０とをそなえている。
【００１４】
サクション装置２０は、巻取りロールの巻端部を吸引して固定するものであり、仕立て位置Ｐに設けられている。そして、巻取りロール５と干渉しないように、搬送レール６の下部で巻取りロール５の下面よりも低い位置に、ウェブ幅方向に向けて延在するように配置されている。
サクション装置２０は、吸引板２２と、サクションボックス２１及び図示しないブロワ又はポンプからなる吸引装置とで構成されている。サクションボックス２１は図示しないブロワまたはポンプによりその中が負圧に保たれている。サクションボックス２１のワインダ側の垂直な一面に設けられた吸引板２２の吸引面にはサクションボックス２１に通じる多数の孔が設けられ、巻端部５ａを吸引できるようになっている。吸引面には、更に、巻端部５ａの不要部を後述の回転カッタ５４で切断する際に、この回転カッタ５４と吸引面が干渉しないように細い溝が設けられている。
【００１５】
テープ貼り装置３０はこのサクション装置２０のワインダ７側に吸引面２２と対向するように設けられている。床面または機械には幅方向にわたる梁３１が固定されており、この梁３１の上にレール３２が設けられている。レール３２上には、これに案内されて幅方向に摺動する取付け台３３が設けられ、この取付け台３３は図示しない駆動装置によってレール３２上をウェブの幅方向に移動する。つまり、この駆動装置，レール３２，取付け台３３は接着部材供給手段としての供給リール３７をウェブ幅方向に移動させる移動手段として機能する。取付け台３３には吸引板２２に接離する方向に向けてガイドレール３４が設けられ、このガイドレール３４にガイドされて摺動する移動台３５が設けられている。
【００１６】
移動台３５はシリンダ３６によって吸引板２２に向けて往復移動する。移動台３５には供給リール（接着部材供給手段）３７が設けられており、この中に両面接着テープ（接着部材）３８が収納されている。さらに、移動台３５には使用済みの両面接着テープ３８の裏打ち材を巻取る巻取りリール３９及び接着テープ３８を巻取りロール５の巻端部５ａに押し付ける押付ロール４０が設けられている。供給リール３７の両面接着テープ３８は、ガイドロール４１にガイドされ、押付ロール４０によって巻端部５ａに押し付けられて貼付される。そして両面接着テープ３８貼付後の裏打ち材はガイドロール４２を経て巻取りリール３９に巻取られる。
【００１７】
取付け台３３には取付け板５０が固定されており、これにガイドつきのシリンダ５１が取付けられている。シリンダ５１のロッド先端には取付け台５２が取付けられており、これにモータ５３で回転駆動される回転カッタ５４が取付けられている。回転カッタ５４は取付け台５２とともにシリンダ５１によって吸引板２２に向けて往復移動し、巻端部５ａの不良部を切断するようになっている。
【００１８】
次に、仮止めテープ貼り装置（仮止め部材供給手段）６０について構成を説明する。この仮止めテープ貼り装置６０は、梁３１の巻取りロール５の両端面付近に設けられている。なお、図２では、梁３１の一端側に設けられた仮止めテープ貼り装置６０のみを示しているが、梁３１の他端にもこれと同様の（左右対称となる）仮止めテープ貼り装置６０が設けられている。つまり、梁３１の巻取りロール５の両端面付近には、固定台６１が固定されている。固定台６１にはガイド６２が設置されており、このガイド６２に案内されて上下に移動する取付け台６３がテープ貼り装置３０よりも下部に取付けられている。取付け台６３には供給リール６５が設けられ、片面接着クラフトテープ（仮止め部材、以下、仮止めテープという）６４が供給リール６５に収納されている。取付け台６３には移動台６６がリンク６７で揺動可能に取付けられており、この移動台６６はシリンダ６８により揺動運動する。移動台６６には仮止めテープ６４を巻端部５ａに押し付ける押えロール６９が取付けられている。移動台６６には、また、エアシリンダ７１で往復運動する供給ロール７０が取付けられ、更に、押えロール６９と供給ロール７０との間にシリンダ７３で往復運動するカッタ７２が取付けられている。供給ロール７０の近くにテープ押え７４がピン７５の回りに回転自在に設けられており、図示しないばねで供給ロール７０の方に軽く押されている。
【００１９】
したがって、仮止めテープ貼り装置６０の取付け台６３が、図示しない昇降装置によってガイド６２にガイドされ、不良部分切断後の巻端部５ａ付近まで上昇する。そして、仮止めテープ６４が供給リール６５から供給され供給ロール７０及び押えロール６９にガイドされるとともに、供給ロール７０がシリンダ７１により駆動されて仮止めテープ片６４ａが巻端部５ａに押し付けられる。仮止めテープ６４は、その両端部がそれぞれ吸引板２２及び巻端部５ａにかかるように貼付された後、シリンダ７３に駆動されたカッタ７２によりテープ端が切断される。
【００２０】
次に、押え装置（固定手段）８０の構成を説明する。この押え装置８０は、搬送レール６上で巻取りロール５をワインダ７へ搬送する際に干渉しないような位置に設けられている。搬送レール６に取付け台８１が固定されており、この取付け台８１にガイド８３が取付けられている。そして、このガイド８３にガイドされて搬送レール６の搬送方向に摺動可能に移動台８２が取付けられている。移動台８２は取付け台８１に固定されているシリンダ８４により搬送方向に移動する。移動台８２には軸受８５により軸８６が回転自在に取付けられている。軸８６の一端にはモータ８７がつながれており、他端には押え板８８が取付けられている。
【００２１】
したがって、図５に示すように、押え板８８はモータ８７で軸８６を回転することにより作動位置まで回転し、シリンダ８４で移動台８２を巻取りロール５に向けて移動させることで仮止めテープ片６４ａを巻取りロール５本体に押付けるようになっている。
本発明の一実施形態にかかる巻端処理装置は上述のように構成されており、以下のような手順（本実施形態にかかる巻端処理方法）で巻端処理が行われる。
【００２２】
まず、リールスタンド２で巻取られた巻取りロール５は搬送レール６に支持されて仕立て位置Ｐにくる。そして、仕立て位置Ｐで一旦停止し、巻取りロール５を回転して巻端部５ａを差し出した後、巻端部５ａをサクション装置２０の吸引板２２により保持する。
次にテープ貼り装置３０により幅方向に両面接着テープ３８を貼るため、シリンダ３６により移動台３５を巻取りロール５の端面近くに移動する。テープ貼り装置３０でテープ貼りを行っている間は、仮止めテープ貼り装置６０はテープ貼り装置３０と干渉しないよう図１に示す待機位置に待機させておく。巻取りロール５の端面付近でシリンダ３６で移動台３５を押し出し、押付ロール４０を吸引板２２に保持された巻端部５ａに押し当てる。この状態で取付け台３３を図２矢印の方向に移動する。すると、供給リール３７から両面接着テープ３８が繰り出され、両面接着テープ３８のテープ本体は巻端部５ａに転移し（転移したテープ本体を両面接着テープ片（接着部材）３８ａとする）、裏打ち材は巻取りリール３９に巻取られる。
【００２３】
テープ片３８ａを巻取ロール５の他の端面付近まで貼り終えた後、シリンダ３６で移動台３５を巻端部５ａから離接する方向に移動し押付ロール４０を巻端部から離す。この状態で取付け台３３をレール３２に沿って少し動かすとテープ３８の本体が引きちぎられる。そして、シリンダ３６により移動台３５を巻端部５ａに向けて移動させ、押付ロール４０で引きちぎられた両面接着テープ片３８ａの残り部分を押し付ける。押し付け終わったら、再びシリンダ３６により移動台を巻端部５ａから離接する方向に移動して押付ロール４０を紙から離し、横方向のテープ貼りを完了する。
【００２４】
次いで、巻端部５ａの不良部分の切断を行なう。まず、テープ貼り装置３０をレール３２に沿って移動し、回転カッタ５４が巻端部５ａの一方の端にくるようにする。そこでシリンダ５１を作動させ回転カッタ５４を巻端部５ａに当てる。このとき、回転カッタ５４の刃先が吸引板２２に設けられた溝の部分に位置するように調整することで、回転カッタ５４が直接吸引板２２に接触しないようにしている。そして、モータ５３で回転カッタ５４を回転させながら巻端部５ａの他端までテープ貼り装置３０を移動させることにより、貼付された両面接着テープ片３８ａの位置から一定の距離で巻端部５ａが切断される（この切断した端面を切断端５ｂとする）。
【００２５】
テープ貼り装置３０によるウェブ幅方向のテープ貼り及び不良部の切断が完了すると、テープ貼り装置３０を巻取りロール５の幅方向に移動して巻取りロール５が搬送される際干渉しない位置まで退避し、図３に示すように仮止めテープ貼り装置６０をテープ供給開始位置まで上昇させる。このテープ供給開始位置は仮止めテープ先端が、先に回転カッタ５４で切断した切断端５ｂより少し上方となる位置である。この位置でシリンダ６８により移動台６６を巻端部５ａに向けて移動させ、押えロール６９を巻端部５ａに押し付ける。さらに、シリンダ７１を作動して供給ロール７０を巻端部５ａに押し付ける。このようにして、供給ロール７０と仮止めテープ押え７４に挟まれて保持されていた仮止めテープ６４の先端が巻端部５ａに押し付けられる。この状態で仮止めテープ貼り装置６０を図の下方に移動すると仮止めテープ６４が巻端部に貼り付けられていく。巻端部５ａに貼られたテープ６４の先端が押えロール６９を通過したら、シリンダ７１を作動して供給ロール７０を図１の位置に引き戻す。仮止めテープ６４が巻端部を越えて供給され、仮止めテープ貼り装置３０がテープ供給完了位置にくると、シリンダ７３を作動してカッタ７２によりテープ６４を切断する（紙に貼ったテープを仮止めテープ片（仮止め部材）６４ａとする）。切断した供給リール６５側のテープ６４の先端は供給ロール７０とテープ押え７４で挟んで保持される。なお、テープ供給完了位置は切断端５ｂの下部に設定されており、仮止めテープ片６４ａはその両端がそれぞれ吸引板２２及び巻端部５ａにかかるように貼付される。
【００２６】
この段階で巻端部５ａに貼った接着テープ３８ａ，６４ａの様子を図４に示す。このように仮止めテープ（片面接着クラフトテープ片）６４ａは紙と同時に吸引板２２にも貼付くことになる。そこで、仮止めテープ６４ａが吸引板２２に強く付かないように、吸引板２２の表面はシリコンやフッ素などの材料で非粘着加工がされている。
【００２７】
次いで図示しない巻上げ手段により巻取りロール５を回転して巻端部５ａを巻き上げ、仮止めテープ６４ａを押え装置８０の下までもってくる。そこで、図５に示すように、押え板８８を仮止めテープ６４ａを押える作動位置に回転し、シリンダ８４で押えながら更に巻取ロール５を回転すると仮止めテープ６４ａの下半分が巻取りロール５に貼付いて巻端部５ａが固定される。押え板８８は動作完了後、巻取りロール５の移送のじゃまにならないよう鎖線で示す待機位置に置かれたところで、仕立て作業を完了とし、次工程の作業位置へ搬送される。
【００２８】
このように、本実施形態にかかる巻端処理装置及び方法によれば、リールスタンド２でウェブ１が巻取られた巻取りロール５は、テープ貼り装置３０によって巻端部５ａの外面に両面接着テープ３８が貼付されるとともに仮止めテープ貼り装置６０で仮止めされてワインダ７へ搬送されるため、搬送中の振動などで巻取りロール５が回転しても巻解かれが生じず、両面接着テープ片３８ａが床や他の機械に当たって接着面が汚れたり足しが折れてテープ面がくっついてしまったりすることがない。
【００２９】
このとき、仮止め方法として巻端部５ａを仮止めテープ片６４ａで巻取りロール５本体に貼付ける方法をとっているため、装置を簡素化することができる。
また、仮止めテープ貼り装置６０で仮止めテープ片６４ａを巻端部５ａに貼付した後、巻取りロール５を回転してテープ片６４ａの貼付された巻端部５ａを巻上げ、押え装置８０でテープ片６４ａを巻取りロール５本体に押し付けて巻端部５ａを固定するため、仮止めテープ貼り装置６０と押え装置８０とを別体として設けることができ、各装置６０，８０を簡素化することができる。そして、巻端部５ａ巻取りロール５本体に巻取られる位置に押え装置８０を設置することで押え作業がより簡単になる。すなわち、押え装置８０を搬送レール６上に設置することで装置構成を簡素化できるようになっている。
【００３０】
巻端部５ａを、吸引板２２の設けた複数の孔を介して吸引装置により吸引して保持することで、巻端部５ａの保持を確実に行ないながらサクション装置２０の構成を簡素化している。
さらに、このように処理した巻取りロール５をワインダ７で紙継した場合、仮止めテープ６４ａは図６（ａ）のように巻取りロールから離れて紙継部についていくか、図６（ｂ）のように紙の先端部が破れて巻取りロールに残るかするが、いずれの場合もワインダのスリッタで切り落とされる耳の部分であるので、製品の損失には全く影響がない。また、このように仮止めテープを貼ったままで紙継処理できるので、紙継前に仮止めテープを剥がすなどの余分な作業も不要であり作業効率が向上する。
【００３１】
なお、本発明は上述の実施形態に限定されるものではなく、本発明の趣旨を逸脱しない範囲で種々変形して実施することができる。
例えば、仮止めは巻端部５ａを巻取りロール５本体に固定できるものであればどのようなものでもよく、巻端部５ａの外面に片面接着クラフトテープ６４を貼付するかわりに、巻端部５ａの内面に両面接着テープを貼付したり、接着剤を塗布したりしてもよい。
【００３２】
また、紙継ぎの際の接着部材は巻端部５ａの外面に設けられていればよく、両面接着テープ３８を添付する代わりに接着剤を塗布するようにしてもよい。
また、吸引板２２は両面接着テープ３８及び片面クラフトテープ６４を貼付するために巻端部５ａを吸引して固定できるものであればどのような形状でもよく、面内に複数の孔を設けて吸引する代わりに、サクションボックス２１まで通ずる細い溝穴を複数設けて巻端部５ａを吸着するとともに、回転カッタ５４で巻端部５ａの不良部を切断する際にこの溝穴部分で切断を行なうようにしてもよい。
【００３３】
【発明の効果】
以上、詳述したように本発明によれば、巻取りロールが巻端部を仮止め部材によって仮止めされた状態で搬送されるため、搬送中に巻取りロールが回転しても巻解かれが生じず、その後のワインダでの紙継ぎ作業を円滑に行なうことができる（請求項１，４）。
【００３４】
また、巻端部に紙継ぎのための接着部材を付着させてから仮止めテープを貼付することにより、仮止め処理をスムーズに行うことができる（請求項２）。
また、片面接着テープをウェブの外面から貼付することにより、簡素な構成で仮止めを確実に行なうことができる（請求項３）。
【００３５】
仮止め手段が巻上げ手段を有することにより、仮止め部材供給手段と固定手段とを分離できるため、装置全体の構成を簡素化することができる（請求項５）。このとき、この固定手段を搬送レールの巻取りロールと干渉しない位置に取付けることで更なる装置の簡素化を実現することができる（請求項６）。
また、巻端部を、吸引板に設けた複数の孔を介して吸引装置により吸引して保持することで、巻端保持手段の構成を簡素化することができる（請求項７）。
【図面の簡単な説明】
【図１】本発明の一実施形態における巻端処理装置全体の側面図であり、図２のＡ−Ａ矢視図である。
【図２】本発明の一実施形態における巻端処理装置全体の平面図である。
【図３】本発明の一実施形態における仮止めテープ貼り装置の作動位置を説明する図である。
【図４】本発明の一実施形態における巻端処理装置により巻端処理した巻端部の接着テープの貼付状態を示す図である。
【図５】本発明の一実施形態における押え装置の動作を示す図であり、図１における押え装置のＢ−Ｂ矢視図である。
【図６】本発明の一実施形態における巻端処理装置で巻端処理され、ワインダによって紙継ぎされた後の巻端部を示す図である。
【図７】従来の巻端処理装置を示す模式図である。
【符号の説明】
１  ウェブ
２  リールスタンド
３  スプール
３ａ  軸受け部
４  リールドラム
５  巻取りロール
５ａ  巻端部
５ｂ  切断端
６  搬送レール
７  ワインダ
８  両面接着テープ
２０  サクション装置（巻端保持手段）
２１  サクションボックス
２２  吸引板
３０  テープ貼り装置（接着部材付着手段）
３１  梁
３２  レール
３３  取付け台
３４  ガイドレール
３５  移動台
３６  シリンダ
３７  供給リール（接着部材供給手段）
３８  両面接着テープ（接着部材）
３８ａ  両面接着テープ片（接着部材）
３９  巻取りリール
４０  押付けロール
４１，４２  ガイドロール
５０  取付け板
５１  シリンダ
５２  取付け台
５３  モータ
５４  回転カッタ
６０  仮止めテープ貼り装置（仮止め部材供給手段）
６１  固定台
６２  ガイド
６３  取付け台
６４  片面接着クラフトテープ（仮止め部材，仮止めテープ）
６４ａ  片面接着クラフトテープ片（仮止め部材，仮止めテープ片）
６５  供給リール
６６  移動台
６７  リンク
６８  シリンダ
６９  押えロール
７０  供給ロール
７１  シリンダ
７２  カッタ
７３  シリンダ
７４  テープ押え
７５  ピン
８０  押え装置（固定手段）
８１  取付け台
８２  移動台
８３  ガイド
８４  シリンダ
８５  軸受け部
８６  軸
８７  モータ
８８  押え板
Ｐ  仕立て位置
【図１】
0003564428.tif 000002
【図２】
0003564428.tif 000003
【図３】
0003564428.tif 000004
【図４】
0003564428.tif 000005
【図５】
0003564428.tif 000006
【図６】
0003564428.tif 000007
【図７】
0003564428.tif 000008